(57)【要約】【課題】本発明はフェースプレートを可及的に薄肉にして撓み量を増大させながら、並設した弾性線材と協働してボール打撃時における高反発性を有効に惹起し、所謂トランポリン効果によるボールの飛距離アップを大幅に増大せしめるゴルフクラブヘッドを提供する。【解決手段】ヘッド本体１の前面に配されたフェースプレート２の内表面に沿って複数本の弾性線材３を並行して配し、該弾性線材３をフェースプレート２の内表面に接触又は僅かな間隙４を存して延在せしめると共に、該弾性線材３の両端を上記フェースプレート２の周域部において固定する構成としたゴルフクラブヘッド。【選択図】        図１  
2005110852.tif 000002
【特許請求の範囲】
【請求項１】
フェースプレートの内表面に沿って複数本の弾性線材を並行して配し、該弾性線材をフェースプレートの内表面に接触又は僅かな間隙を存して延在せしめると共に、該弾性線材の両端を上記フェースプレートの周域部において固定する構成としたことを特徴とするゴルフクラブヘッド。
【請求項２】
上記弾性線材の両端をヘッド本体の前縁部に接着材又は溶接にて固定する構成としたことを特徴とする請求項１記載のゴルフクラブヘッド。
【請求項３】
上記弾性線材が鋼線材又はカーボン線材又はボロン線材であることを特徴とする請求項１記載のゴルフクラブヘッド。
【発明の詳細な説明】
【技術分野】
【０００１】
本発明はゴルフクラブヘッド、殊にドライバーやスプーンやバフィー等のヘッドのフェースプレートに高反発性を付与したゴルフクラブヘッドに関する。
【背景技術】
【０００２】
特許文献１においては、ヘッドのフェースプレートの裏側（内表面）に、半円形の補強線材を打撃スポットを中心にして放射状に配し、該補強線材をフェースプレートの内表面に一体的に設けたゴルフクラブヘッドを開示している。      
【特許文献１】特開２００２−３２０６９２号公報
【発明の開示】
【発明が解決しようとする課題】
【０００３】
而して上記先行例は補強線材を打撃スポットを中心に放射状に配して、打撃スポットでゴルフボールを捉えた時のフェースプレートの反発力を増加し飛距離アップに寄与せんとするものであり、打撃スポットから外れたフェース面においてゴルフボールを捉えた時には、その効果が適切に得られるとは言い難い。
【０００４】
又補強線材をフェースプレートの内表面に一体的に延設して補強を図る構造であるため、補強線材が常に同プレートによって拘束され、補強線材が単独で自由に撓み、高反発性を生起せしめることができない。
【０００５】
又上記先行例においては、補強線材を接着材等によりフェースプレートの内表面に貼り付けるものと推察されるが、線材の剥離、落下を生ずる恐れを有している。殊にフェースプレートはゴルフボールを打撃する都度、内方へ撓むのでこの剥離落下の問題を助長する。
【課題を解決するための手段】
【０００６】
本発明に係るゴルフクラブヘッドにおいては、フェースプレートの内表面に沿って複数本の弾性線材を並行して配し、該弾性線材をフェースプレートの内表面に接触又は僅かな間隙を存して延在せしめると共に、該弾性線材の両端を上記フェースプレートの周域部において固定し、両端固定部間における自由な弾性変位を許容する構成とした。
【０００７】
上記フェースプレートの内表面に沿って並行に配された弾性線材は、フェースプレートの打撃スポットを含む広領域において高反発性を生起し飛距離アップを図ることができ、フェースプレートを薄くして反発性を高める、所謂トランポリン効果を有効に惹起せしめる。
【０００８】
又上記弾性線材はフェースプレートの内表面に接触又は僅かな間隙を存して延在するので、フェースプレートに対し自由に撓みを生じてフェースプレートに高反発力を与え、弾性線材の弾性を飛距離アップに有効に寄与せしめることができる。
【０００９】
又弾性線材は上記撓みを生じた時の負荷が両端固定部に加わり、前記弾性線材の剥落等の問題を解消できる。
【００１０】
適例として、上記弾性線材はその両端をヘッド本体の前縁部に接着材又は溶接にて固定し、両固定部間における自由な弾性変位を許容する。
【００１１】
上記弾性線材としては、ピアノ線に代表される鋼線材等の金属線材を用いる。又は弾性線材としてカーボン線材又はボロン線材を用いる。
【発明を実施するための最良の形態】
【００１２】
以下本発明を実施するための最良の形態を図１乃至図１８に基づき説明する。
【００１３】
図２，図５，図８等に示すように、ゴルフクラブの金属製のヘッド本体１は中空構造であり、前面の開口はチタン等の金属製のフェースプレート２で閉鎖されている。即ちヘッド本体１とフェースプレート２とを別部品にて形成し、ヘッド本体１の前縁部にフェースプレート２を溶接等にて取り付け中空構造にする。
【００１４】
図１，図４，図７等に示すように、上記フェースプレート２の内表面に沿って複数本の弾性線材３を並行して配し、図１７に示すように、該弾性線材３をフェースプレート２の内表面に接触して延在せしめる。即ち弾性線材３とフェースプレート２の内表面とは自由接触面を形成している。
【００１５】
上記弾性線材３はフェースプレート２の略全幅に接触させる他、図１４に示すように、フェースプレート２の内表面中央部に膨出部１１を一体に形成し、該膨出部１１に接触して延在せしめ、弾性線材３の両端延在部はフェースプレート２の内表面から離間する。
【００１６】
上記膨出部１１は打撃スポットを形成し、この膨出部１１が内方へ撓むことによって、弾性線材３の中央部を集中的に加圧し、これを一緒に内方へ撓ませる。
【００１７】
又は図１８に示すように、上記弾性線材３をフェースプレート２の内表面に対し、僅かな間隙４を存し延在せしめる。即ち弾性線材３をフェースプレート２の内表面に対し非接触状態で延在せしめ、フェースプレート２が内方へ撓む過程で弾性線材３に接触し一緒に撓むようにする。
【００１８】
図１４に示すように、フェースプレート２の内表面に膨出部１１を設ける場合には、図１８に示すように、上記弾性線材３の中央部をこの膨出部１１から僅かに間隙４を存して延在し、常態においては非接触状態とし、フェースプレート２が内方へ撓む過程で膨出部１１が弾性線材３に接触し一緒に撓むようにする。
【００１９】
上記弾性線材３をフェースプレート２の内表面に対し接触又は間隙４を存して延在せしめる何れの場合においても、同線材３の両端を上記フェースプレート２の周域部において固定する。
【００２０】
換言すると、弾性線材３は両端をフェースプレート２の周域部において固定し、該固定部間においてフェースプレート２の内表面に対しフリーに延在せしめる。即ち弾性線材３は両端固定部間においてフェースプレート２の内表面に対し接触又は僅かな間隙４を存して延在せしめる。
【００２１】
フェースプレート２はその外表面でゴルフボールを打撃した場合に、内方へ撓むが、上記弾性線材３はこのフェースプレート２の撓み過程で一緒に内方へ撓み、相乗して反発力を生ずる。
【００２２】
弾性線材３の並設態様として図１乃至図３に示すように、同線材３を横方向（略水平方向）に並設する。又は図４乃至図６に示すように、弾性線材３を縦方向（上下方向）に並設する。又は図７乃至図９に示すように、横方向と縦方向に並設する。横方向と縦方向の弾性線材３は互いに交差し接触する。
【００２３】
上記弾性線材３として既知のピアノ線の如き鋼線材を用いる。又は弾性線材３として既知のカーボン線材、即ちカーボン繊維で形成した線材、又はボロンから成る線材を用いる。
【００２４】
上記弾性線材３の両端固定の例示として、図１乃至図３に示すように、同線材３の両端をヘッド本体１の前縁部に隔設した位置決め溝５又は孔に挿入し溶接又は接着材にて固定する。
【００２５】
即ち上記フェースプレート２の周縁部と接合するヘッド本体１の前縁部に位置決め溝５又は孔を隔設し、該各位置決め溝５又は孔内に弾性線材３の両端を挿入し、該弾性線材３の両端を位置決め溝５又は孔内周面に接着材又は溶接にて固定し、一体構造とする。
【００２６】
又は図１０，図１１に示すように、ヘッド本体１の前面開口部にフェースプレート２を嵌合し、周縁部を溶接付けし中空構造にすると共に、ヘッド本体１の前縁部内側面、即ち前面開口部内周面に形成した段差面６に位置決め溝５又は孔を隔設し、該溝５又は孔に弾性線材３の両端を挿入し、同両端を溝５又孔の内面に接着材又は溶接にて固定し、同線材３を横設又は／及び縦設する。上記フェースプレート２はその周縁部内面を上記段差面６に支持し溶接する。
【００２７】
上記位置決め溝５又は孔がヘッド本体１の内外において開口する場合には、ヘッド本体１の外表面側の開口はコーティング材にて閉鎖される。
【００２８】
又は図１２，図１３に示すように、上記フェースプレート２の周縁部に立ち上げ壁８を一体に成形して浅いカップ形にし、該カップ形フェースプレート２の立ち上げ壁８の端面とヘッド本体１の前端面とを突き合わせ溶接して中空構造にし、該立ち上げ壁８の端面に位置決め溝５又は孔を隔設し、該溝５又は孔に弾性線材３の両端を挿入し、同両端を溝５又は孔の内面に接着材又は溶接にて固定し、同線材３を横設又は／及び縦設する。
【００２９】
又は図示を省略するが、上記カップ形フェースプレート２の立ち上げ壁８の端面と対向するヘッド本体１の前端面に上記位置決め溝５又は孔を隔設し、該溝５又は孔に弾性線材３の両端を挿入し、同両端を溝５又は孔の内面に接着材又は溶接にて固定し、同線材３を横設又は／及び縦設する。
【００３０】
上記カップ形フェースプレート２は反発力、即ちフェースプレート２の撓み性を有効に惹起せしめ、上記弾性線材３はこのカップ形フェースプレート２と協働して上記フェースプレート２の反発力を著しく増大する。
【００３１】
図１５，図１６に示すように、上記弾性線材３の両端にはローレット９を設け、接着材又は溶接金属との結合力を強化することができる。又図１６に示すように、弾性線材３の両端をＬ字形に折曲し、該折曲端部１０にローレット９を設け、該折曲端部１０をヘッド本体１の前縁部で開口せる位置決め溝５′に係入し、溶接又は接着材にて固定する。
【００３２】
本発明は上記弾性線材３を地面に対し平行又は垂直に配するばかりか、同線材３を地面に対し斜めに配設する場合を含む。
【００３３】
本発明によれば、フェースプレート２を可及的に薄肉にして撓み量を増大させながら、上記並設した弾性線材３と協働してボール打撃時における高反発性を有効に惹起し、所謂トランポリン効果によるボールの飛距離アップを大幅に増大せしめる。
【図面の簡単な説明】
【００３４】
【図１】弾性線材を横方向に並設したゴルフクラブヘッドを、フェースプレートを除去した状態を以って示す正面図。
【図２】上記図１におけるゴルフクラブヘッドの縦断面図。
【図３】上記図１におけるゴルフクラブヘッドの横断面図。
【図４】弾性線材を縦方向に並設したゴルフクラブヘッドを、フェースプレートを除去した状態を以って示す正面図。
【図５】上記図４におけるゴルフクラブヘッドの縦断面図。
【図６】上記図４におけるゴルフクラブヘッドの横断面図。
【図７】弾性線材を横方向と縦方向に並設したゴルフクラブヘッドを、フェースプレートを除去した状態を以って示す正面図。
【図８】上記図７におけるゴルフクラブヘッドの縦断面図。
【図９】上記図７におけるゴルフクラブヘッドの横断面図。
【図１０】ヘッド本体に対するフェースプレートの嵌合構造と弾性線材の取り付け構造例を示すゴルフクラブヘッドの横断面図。
【図１１】図１０における弾性線材両端の固定用の位置決め溝を示すゴルフクラブヘッドの縦断面図。
【図１２】フェースプレートをカップ形に形成し、弾性線材を並設した例を示すゴルフクラブヘッドの横断面図。
【図１３】図１２における弾性線材両端の固定用の位置決め溝を示すゴルフクラブヘッドの縦断面図。
【図１４】フェースプレートの内表面に膨出部を設け弾性線材を並設した例を示すゴルフクラブヘッドの横断面図。
【図１５】上記弾性線材の両端にローレットを形成して固定した例を示す固定部の要部断面図。
【図１６】上記弾性線材の両端にローレットを形成して固定した他の例を示す固定部の要部断面図。
【図１７】フェースプレートと弾性線材の接触配置構造を示す要部断面図。
【図１８】フェースプレートと弾性線材の非接触配置構造を示す要部断面図。
【符号の説明】
【００３５】
１…ヘッド本体、２…フェースプレート、３…弾性線材、４…間隙、５，５′…位置決め溝、６…段差面、８…立ち上げ壁、９…ローレット、１０…折曲端部、１１…膨出部
【図１】
2005110852.tif 000003
【図２】
2005110852.tif 000004
【図３】
2005110852.tif 000005
【図４】
2005110852.tif 000006
【図５】
2005110852.tif 000007
【図６】
2005110852.tif 000008
【図７】
2005110852.tif 000009
【図８】
2005110852.tif 000010
【図９】
2005110852.tif 000011
【図１０】
2005110852.tif 000012
【図１１】
2005110852.tif 000013
【図１２】
2005110852.tif 000014
【図１３】
2005110852.tif 000015
【図１４】
2005110852.tif 000016
【図１５】
2005110852.tif 000017
【図１６】
2005110852.tif 000018
【図１７】
2005110852.tif 000019
【図１８】
2005110852.tif 000020